(57)【要約】      （修正有）【課題】設置面の間隔に合わせて長さ調整し圧着して固定する装置で設置面を傷めにくく転倒する危険性の少ない装置を提供する。【解決手段】棒材の片方は梃子の力で圧着力を直接加える圧着用棒材でありもう片方は長さを調整するための長さ調整用棒材である。２個の連結材は１組になって両側から棒材を挟み棒材に連結する。連結材に挟まれた棒材が連結材の内外方向に出入りして長さを調整する。設置面の間隔に密着するように長さを調整し連結材を連結する連結用ネジを締めて２個の連結材の間隙を狭めることにより挟んだ棒材を圧着して固定する。連結材に固定した梃子の支点用ネジと圧着用棒材の連結材側の端口との間に適当な隙間をつくりこの隙間にドライバー等の金属棒を差し入れ梃子の力で隙間を押し広げ、圧着用棒材と長さ調整用棒材を反対方向に押し出すことにより設置面に圧着して固定する。圧着による固定状態を維持するために棒材と連結材の連結部に木ネジ等を打ち込み２重に固定する。【選択図】図２
0003172489.tif 000002
【実用新案登録請求の範囲】
【請求項１】
圧着の対象となる設置面である被圧着面の２面の間隔に合わせて長さ調整し被圧着面に圧着して固定する装置で、被圧着面に接する２個の棒材と棒材を両側から挟んで棒材に連結する２個の連結材よりなり、２個の棒材は同形の端口を持ち片方は梃子の力で圧着力を直接加える圧着用棒材でありもう片方は長さ調整に使う長さ調整用棒材であり、２個の連結材は同一形で棒材に接する内側面には棒材を真っ直ぐに出入りさせるための縦溝が全長についていて、その縦溝に棒材をはめ込み２個の連結材が１組になって棒材を両側から挟み、連結材の外側から反対側の連結材の外側に２個の連結材を連結する連結用ネジを貫通させネジの末端を蝶ナット等にかみ合わせ、連結用ネジを締め付けて２個の連結材の間隙を狭めることによって挟んだ棒材を圧着して随意の位置で固定し、さらに連結材の外側から反対側の連結材の外側に梃子の支点に使う支点用ネジを貫通させその末端を蝶ナット等にかみ合わせ締め付けて支点用ネジを連結材に固定し、支点用ネジを梃子の支点とし圧着用棒材の連結材側の端口を梃子の作用点として梃子の力が働くようにドライバー等の金属棒等を差し入れ、梃子の力の力点である金属棒等の手前側を引き上げまたは引き下げて圧着用棒材と連結材に固定された長さ調整用棒材を反対方向に押し出し、被圧着面の２面に圧着して固定する装置。
【請求項２】
圧着の対象となる設置面である被圧着面の２面の間隔に合わせて長さ調整し被圧着面に圧着して固定する装置で、被圧着面に接する２個の角材と角材を両側から挟んで棒材に連結する２個の連結材よりなり、２個の角材は同形の端口を持ち片方は梃子の力で圧着力を直接加える圧着用角材でありもう片方は長さ調整に使う長さ調整用角材であり、２個の連結材は同一形で角材に接する内側面には角材を真っ直ぐに出入りさせるための縦溝が全長についていて、その縦溝に角材をはめ込み２個の連結材が１組になって角材を両側から挟み、連結材の外側から反対側の連結材の外側に２個の連結材を連結する連結用ネジを貫通させネジの末端を蝶ナット等にかみ合わせ、連結用ネジを締め付けて２個の連結材の間隙を狭めることによって挟んだ角材を圧着して随意の位置で固定し、さらに連結材の外側から反対側の連結材の外側に梃子の支点に使う支点用ネジを貫通させその末端を蝶ナット等にかみ合わせ締め付けて支点用ネジを連結材に固定し、支点用ネジを梃子の支点とし圧着用角材の連結材側の端口を梃子の作用点として梃子の力が働くようにドライバー等の金属棒等を差し入れ、梃子の力の力点である金属棒等の手前側を引き上げまたは引き下げて圧着用角材と連結材に固定された長さ調整用角材を反対方向に押し出し、被圧着面の２面に圧着して固定する装置。
【請求項３】
請求項１の装置で連結材に木ネジ等を棒材に打ち込むための２個以上の貫通穴がついており木ネジ等をその貫通穴に通しネジ先から棒材に食い込ませることにより連結材と棒材を２重に固定する装置。
【考案の詳細な説明】
【技術分野】
【０００１】本考案は設置面の間隔に合わせて長さ調整し圧着して固定する装置に関する。
【背景技術】
【０００２】本考案は設置面の間隔に合わせて長さ調整し圧着して固定する装置に関する。床と天井等の設置面の間隔に合わせて長さ調整し圧着して固定する物品として突っ張り棒や突っ張り柱がある。これらは設置面の間隔に合わせて本体の長さを調整しネジやバネの力で設置面に本体を突っ張らせて固定する。これらの物品は突っ張りの強さを適切に調整しないと設置面を傷めるおそれがある。またネジの緩みを完全に防止するのは困難なのでネジが緩むと固定が不全になり転倒の危険性がある。
【考案が解決しようとする課題】
【０００３】本考案の課題は、圧着の対象となる設置面である被圧着面の２面の間隔に合わせて長さ調整し圧着して固定する装置で被圧着面を傷めにくく転倒する危険性の少ない装置を提供することにある。
【考案が解決するための手段】
【０００４】上記の課題を解決するため本考案では梃子の力を利用する。従来のネジやバネによる圧着はその力の大きさを利用者が感知しにくいため適切に圧着力をかけることが難しい。梃子の力は利用者が直接力をかけるので力の大きさを感知しやすい。そのため利用者は適切な圧着力をより容易にかけることができるので被圧着面を傷めにくい。本考案は梃子の力を利用して部材同士を反対方向に押し出すことにより部材を被圧着面に圧着する。そしてこの圧着による固定状態を維持するため部材の連結部に木ネジ等を打ち込み２重に固定する。本考案はネジやバネ等の圧着力発生装置を被圧着面に接する部材の端部に装着しないため構造が単純となり自立安定性を高めるための補助脚等の付属物を装着することが容易になる。
本考案は被圧着面に接する２個の棒材と棒材を挟んで連結する２個の連結材よりなる。２個の連結材は１組になって棒材を両側から挟み随意の位置で棒材を固定する。２個の棒材は丸型または角型でありその端口は同じである。片方は梃子の力で圧着力を直接加える圧着用棒材でありもう片方は長さを調整するための長さ調整用棒材である。２個の連結材は同一形であり連結材を連結するための連結用ネジを通すための貫通穴が各連結材の４隅およびそれ以外の箇所に４個以上ついている。
また梃子の支点に使うための支点用ネジ通すための貫通穴が各連結材に１個以上ついている。さらに圧着固定した後の状態を維持するための木ネジ等打ち込み用の貫通穴が２個以上ついている。棒材に接する連結材の内側面には棒材を真っ直ぐ連結材の内外方向に出入りさせるための縦溝が全長についている。連結材の縦溝に棒材をはめ込み両側から連結材で挟むと棒材は前後左右に動けず真っ直ぐ安定して出入りする。連結用ネジおよび支点用ネジは棒材を挟んだまま１方の連結材の外側からそれぞれの貫通穴を通して反対側の連結材の外側にネジの末端が突出し末端は蝶ナット等にかみ合わされる。連結用ネジを締めると２個の連結材の間隙が狭まり挟んだ棒材を圧着して連結材と棒材を随意の位置で固定する。支点用ネジはネジを締めることにより連結材に固定する。２個の連結材の間には適当な間隙がある。
ネジを締めまたは緩めてこの間隙を狭めまたは広げることにより随意に棒材を固定しまたは固定の解除をする。本考案は２個の連結材に挟まれた棒材が連結材の内外方向に出入りする構造である。２個の棒材が連結材の内側方向に最も深く入るとき本考案の長さは最短となる。２個の棒材が連結材の外側方向に限度一杯に出るとき本考案の長さは最長となる。この範囲内で棒材の出入りを調整することにより本考案は長さを調整する。本考案を長さ調整により被圧着面に密着させた後、梃子の力を利用して本考案を圧着して被圧着面に固定する。方法はまず連結材に固定した支点用ネジと圧着用棒材の連結材側の端口との間に１センチ程の適当な隙間ができるように位置決めして圧着用棒材と連結材を軽く固定する。ドライバー等の金属棒等を隙間に差し入れ金属棒を引き上げまたは引き下げて隙間を押し広げる。すると圧着用棒材と連結材に固定された長さ調整用棒材は反対方向に押し出され被圧着面を圧着し固定する。このとき金属棒等の手前側が梃子の力点となり連結材に固定された支点用ネジが梃子の支点となり圧着用棒材の端口が梃子の作用点となる。
本考案の使い方はまず２個の連結材をその縦溝が向かい合うように合わせ連結用ネジと支点用ネジを１方の連結材の外側から貫通穴に通しその末端を反対側の連結材の外側に突出させネジの末端を蝶ナット等にかみ合わせる。２個の棒材を連結材の両端から縦溝にはめ込み連結材の内側方向に挿入する。連結材に固定した支点用ネジと圧着用棒材の連結材側の端口との間に１センチ程の適当な隙間ができるように位置決めして圧着用棒材と連結材を軽く固定する。軽い固定とは強い力をかけなければ動かない程度の固定である。同時に支点用ネジを締めて支点用ネジを連結材に固定する。この状態から本考案を例えば被圧着面である天井と床との間に設置する場合、仮に圧着用棒材を床に立てるなら長さ調整用棒材を天井に届くまで上に伸ばす。仮に圧着用棒材を天井につけるなら長さ調整用棒材の先端を床につけ圧着用棒材が天井に届くところまで連結材を押し上げる。床と天井の間隔に本考案が密着するように長さ調整し長さ調整用棒材側の連結用ネジを締めて連結材と長さ調整用棒材を固定する。つぎにドライバー等の頑丈な金属棒等を支点用ネジと圧着用棒材の連結材側の端口との隙間に差し入れ梃子の力の力点である金属棒の手前側を引き上げまたは引き下げてこの隙間を押し広げ圧着用棒材と支点用ネジ側に固定された長さ調整用棒材を反対方向に押し出し２個の棒材で被圧着面である床と天井を圧着して固定する。そして圧着用棒材側の連結用ネジを締め圧着用棒材と連結材を固定する。最後にこの固定状態を維持するため連結板にある木ネジ用の貫通穴から木ネジ等を通しネジ先を棒材に食い込ませて連結材と２個の棒材を２重に固定する。
【考案の効果】
【０００５】このように本考案の設置面の間隔に合わせて長さ調整し圧着して固定する装置は設置面を傷めにくく転倒する危険性が少ない。
【図面の簡単な説明】
【０００６】
【図１】  本考案の正面図である。
【図２】  本考案の左側面図である。
【図３】  本考案の平面図である。
【図４】  圧着用棒材の端口と支点用ネジとの隙間に金属棒を差し入れた説明図である。
【考案を実施するための形態】
【０００７】本考案の目的は、被圧着面の間隔に合わせて長さ調整し圧着して固定する装置で被圧着面を傷めにくく転倒する危険性の少ない装置を提供することにある。この目的を実現するため本考案では梃子の力を利用して部材同士を反対方向に押し出すことにより部材を設置面に圧着させ固定する。さらにこの固定状態を維持するため部材の連結部に木ネジ等を打ち込み２重に固定する。
【実施例】
【０００８】本考案の実施例について図面を参照しながら説明する。
図１は本考案の正面図、図２は本考案の左側面図、図３は本考案の平面図である。
図４は梃子の力で圧着力を発生させる金属棒を差し入れた説明図である。本考案を床と天井の二つの被圧着面の間隔に固定する場合について説明する。２個の連結材１、２をその縦溝３が向かい合うように合わせ連結用ネジ４、５と支点用ネジ６を１方の連結材の外側から貫通穴に通しその末端を反対側の連結材の外側に突出させネジの末端を蝶ナット等７にかみ合わせる。２個の棒材８、９を連結材の両端から縦溝にはめ込み連結材の内側方向に入れる。連結材に固定した支点用ネジ６と圧着用棒材８の連結材側の端口との間に１センチ程の適当な隙間をつくるように圧着用棒材の位置を調整し圧着用棒材側にある連結用ネジ４を締めて圧着用棒材と連結材とを軽く固定する。同時に支点用ネジ６を締めて支点用ネジを連結材に固定する。本考案を床の上に立て長さ調整用棒材９が天井に届くところまで伸ばす。本考案が床と天井の間隔に密着するまで伸ばし長さ調整用棒材側の連結用ネジ５を締めて連結材と長さ調整用棒材を固定する。つぎにドライバー等の頑丈な金属棒等１０を支点用ネジと圧着用棒材の連結材側の端口との隙間に差し入れ金属棒の握りを引き上げ圧着用棒材を下方に、連結材に固定された長さ調整用棒材を上方に押し出し本考案を床面と天井面に圧着させて固定する。そして圧着用棒材側の連結用ネジ４をかたく締め圧着用棒材と連結材を固定する。最後にこの固定状態を維持するため連結材にある木ネジ用の貫通穴から木ネジ等１１を通しネジ先を棒材に食い込ませて連結材と２個の棒材を２重に固定する。
【産業上の利用可能性】
【０００９】長さ調整し圧着して固定できる装置で設置面を傷めにくく転倒する危険性が少ない装置を必要とする用途に利用できる。本考案の棒材の端部に安定性のよい脚を取付けることにより安定して自立し地震等の強い振動で外れる可能性が小さく建物の内装にキズをつけることのない転倒防止具として利用できる。
【符号の説明】
【００１０】１、２        連結材
３            連結材の内側の縦溝
４            連結用ネジ（圧着用棒材側）
５            連結用ネジ（長さ調整用棒材側）
６            支点用ネジ
７            蝶ナット等
８            圧着用棒材
９            長さ調整用棒材
１０          金属棒
１１          木ネジ等
【図１】
0003172489.tif 000003
【図２】
0003172489.tif 000004
【図３】
0003172489.tif 000005
【図４】
0003172489.tif 000006